(57)【要約】  本発明は、低温、特に、−７０℃より低い温度において用いることが出来る圧力センサに関し、これは、前領域（３）と、これに隣接する基盤（５）とを有する固体金属センサ体（１）であって、前領域（３）は、基盤（５）より大きな断面積を有し、前領域（３）は、圧力センサを使用位置に実装するために、固定デバイスによって、クランプされることが出来る外縁（１１１）を有する、固体金属センサ体（１）と、前領域（３）に設けられ、基盤（５）から外に面している前領域（３）の前面に向かって開いている凹部（７）と、測定動作中、外部から、測定されるべき圧力（ｐ）が印加され、圧力に応じて弾性的に変形することができ、センサ体（１）の前面上に配置され、外部に向かって凹部（７）を閉止する金属測定ダイアフラム（９、９’）であって、センサ体（１）と同一の金属のみからなり、前領域（３）の外縁（１１）から離間された金属測定ダイアフラムと、測定によって、測定ダイアフラム（９，９’）の圧力依存の変形を検出するための電気機械的トランスデューサであって、絶縁素子（５１、５３）によって測定ダイアフラム（９、９’）とセンサ体（１）から電気的に絶縁されている、少なくとも１つの測定素子（５５、５７）を有する電気機械的トランスデューサと、を備える。【選択図】図１
2016540986.tif 000002
【特許請求の範囲】
【請求項１】
前領域（３）と、これに隣接する基盤（５）とを有する固体金属センサ体（１）であって、
前記前領域（３）は、前記基盤（５）より大きな断面積を有し、
前記前領域（３）は、圧力センサを使用位置に実装するために、固定デバイスによって、クランプされることが出来る外縁（１１１）を有する、固体金属センサ体（１）と、
前記前領域（３）に設けられ、前記基盤（５）から外に面している前記前領域（３）の前面に向かって開いている凹部（７）と、
測定動作中、外部から、測定されるべき圧力（ｐ）が印加され、前記圧力に応じて弾性的に変形することができ、前記センサ体（１）の前記前面上に配置され、前記外部に向かって前記凹部（７）を閉止する金属測定ダイアフラム（９、９’）であって、
前記センサ体（１）と同一の金属からなり、
前記前領域（３）の前記外縁（１１）から離間された金属測定ダイアフラム（９、９’）と、
前記測定ダイアフラム（９，９’）の圧力依存の変形を計測的に検出するための、絶縁素子（５１、５３）によって前記測定ダイアフラム（９、９’）と前記センサ体（１）から電気的に絶縁されている、少なくとも１つの測定素子（５５、５７）を有する電気機械的トランスデューサと、
を備える圧力センサ。
【請求項２】
前記測定ダイアフラム（９、９’）と前記外縁（１１）との間の前記センサ体（１）の前記前面において、前記測定ダイアフラム（９，９’）を全方位から囲む溝（１３）が設けられる、
請求項１に記載の圧力センサ。
【請求項３】
前記外縁（１１）の前記前面の前記前領域（３）は、前記測定ダイアフラム（９、９’）を全方位から囲み、前記測定ダイアフラム（９、９’）から離間しており、外側へ突出する、金属カッティングリングシールの金属シーリングリップ（１５）を有する、
請求項１に記載の圧力センサ。
【請求項４】
前記測定ダイアフラム（９、９’）は、
−７０℃より低い温度を含む温度範囲において、１０％以上のパーセント膨張（ε）を有し、特に、−１６５℃から−７０℃の温度範囲で、前記圧力センサを用いることが出来る、金属、特に、チタン、タンタル、チタン合金、または、タンタル合金からなる、
請求項１に記載の圧力センサ。
【請求項５】
前記絶縁素子（５１、５３）は、
−７０℃未満の温度を含む温度範囲において、前記センサ体（１）と前記測定ダイアフラム（９、９’）の金属の熱膨張係数に適合された熱膨張係数を有し、前記圧力センサを、特に、−１６５℃から−７０℃の温度範囲で使用することができる、材料、特に、セラミックまたはサファイアからなる、
請求項１または４に記載の圧力センサ。
【請求項６】
前記絶縁素子（５１）は、凹部（７）に挿入され、特に、活性ハードはんだ接合（５９）によって前記凹部（７）に固定され、その前記前面は、前記測定ダイアフラム（９）に面し、前記測定ダイアフラム（９）に平行に走り、それから離間されている物体であり、
前記測定素子（５５）の一つは、前記絶縁素子（５１）の前記前面に搭載された測定電極であり、前記測定電極は、対向電極として機能する前記測定ダイアフラム（９）と共に、前記測定ダイアフラム（９）の前記圧力依存の屈曲に依存する容量を有するキャパシタを形成する、
請求項１に記載の圧力センサ。
【請求項７】
前記絶縁素子（５１）は、前記測定ダイアフラム（９）に面するその前面において、前記測定ダイアフラム（９）用のダイアフラムベッドを形成し、前記測定ダイアフラム（９）の中心に同心円状に配置された波からなる波プロファイルを有し、
前記測定ダイアフラム（９）は、前記絶縁素子（５１）の前記波プロファイルと同一の形状を有し、特に、前記測定ダイアフラム（９）を前記ダイアフラムベッド上に押圧することにより生成される、波プロファイルを有する波ダイアフロムとして設計される、
請求項６に記載の圧力センサ。
【請求項８】
前記絶縁素子（５３）は、前記凹部の内部に面する前記測定ダイアフラム（９’）の内面上に配置され、前記測定ダイアフラム（９’）とラミネート接合するディスクであり、
前記測定素子（５７）は、前記測定ダイアフラム（９’）から外に面する前記絶縁素子（５３）の側上の前記絶縁素子（５３）内に挿入される、センサ、特に、ピエゾ抵抗シリコンセンサである、
請求項１に記載の圧力センサ。
【請求項９】
前記絶縁素子（５３）は、サファイアからなり、
前記絶縁素子（５３）と前記測定ダイアフラム（９’）との前記ラミネート接合は、ハードはんだ接合である、
請求項８に記載の圧力センサ。
【請求項１０】
前記測定素子（５５、５７）の少なくとも１つに接続される少なくとも１つの接点（６３）は、前記測定ダイアフラム（９、９’）から外に面する前記絶縁素子（５１、５３）の側に設けられ、
接続ライン（６５）は、各接点（６３）に接続され、
前記基盤（５）を通り、前記凹部（７）で終端する穴（７５）は、各接続ライン（６５）用に前記センサ体（１）に設けられ、
絶縁材料、特に、セラミックまたはサファイアから作られる小型ダクト（７７）は、各穴（７５）に挿入され、前記穴（７５）を繋げ、
各接続ライン（６５）は、前記小型ダクト（７７）の一つを通って供給される、
請求項１に記載の圧力センサ。
【請求項１１】
前記接続ライン（６５）は、それぞれ、前記関連する接点（６３）に、はんだ、または、ボンドによって接続される、
請求項１０に記載の圧力センサ。
【請求項１２】
前記電気機械的トランスデューサは、前記測定ダイアフラム（９、９’）から離間されて配置された、電子部品（６７）、特に、ヒータ（７３）を備える電子部品（６７）に、少なくとも１つの接続ライン（６５）を介して、接続される、
請求項１に記載の圧力センサ。
【請求項１３】
特に、接続パイプ、接続部品または、接続フランジである接続素子（１７、１７’）であって、
前記測定ダイアフラム（９、９’）を曝す中央凹部（１９）を有する接続素子（１７、１７’）と、
前記接続素子（１７、１７’）に前記圧力センサを取り付ける固定デバイスであって、
前記圧力センサの前記前領域（３）の前記外縁（１１）上に排他的に安置し、特に、前記測定ダイアフラム（９、９’）に垂直な面に平行に作用する、前記縁（１１）上への力をかける固定デバイスと、
を備える、
前記請求項のいずれか一つに記載の圧力センサを有する圧力測定構成。
【請求項１４】
前記接続素子（１７）は、前記シーリングリップと対向する領域において、前記センサ体（１）の前記シーリングリップ（１１）と相補的な、金属シーリング輪郭（２１）を有し、
金属シール（１７）、特に、金または銅の、前記シーリングリップ（１５）及び前記シーリング輪郭（２１）の金属よりも延性な金属によって作られる、ポリテトラフルオロエチレンの被覆によって外部が被覆されるシール（２３）は、前記シーリングリップ（１５）と前記シーリング輪郭（２１）の間に配置され、
前記固定デバイスは、前記測定ダイアフラム（９、９’）から外に面する側から前記圧力センサ上にスライドされ、ねじ接続によって、前記接続素子（１７）に接続される、スリーブ（２５、３９）を備える、
請求項３に記載の圧力センサを有する請求項１３に記載の圧力測定構成。
【請求項１５】
前記接続素子（１７’）は、前記外縁（１１）と対向するその前面上に、環状周縁溝（４１）を備え、
環状周縁シーリングばね（４３）、特に、弾性のある金属、特に、ポリテトラフルオロエチレンの被覆で外部が被覆された金属で作られた、ｃ形状断面プロファイルを有するシーリングばね（４３）は、前記溝（４１）内に挿入され、
前記固定デバイスは、前記測定ダイアフラム（９、９’）から外に面する側から前記圧力センサ上にスライドされ、ねじ接続によって前記接続素子（４５）に接続される、スリーブ（４５）を備える、
請求項１３に記載の圧力センサ構成。
【発明の詳細な説明】
【技術分野】
【０００１】
本発明は、圧力センサと、圧力センサを備える圧力測定構成に関する。
【背景技術】
【０００２】
圧力センサは、測定されるべき圧力を計測的に検出するための産業測定技術の殆ど全ての分野における圧力測定構成に用いられる。
【０００３】
この目的のために、シリコンベースの圧力センサチップなどの、いわゆる半導体センサが、今日しばしば用いられる。しかし、これらの圧力センサは、機械的に敏感である。このため、これらは、圧力が測定されるべき媒体に直接曝されることが出来ない。むしろ、ダイヤフラムシールが、圧力センサの上流に設けられ、これが、圧力センサに、測定されるべき圧力を伝達する。ダイヤフラムシールは、油などの、圧力伝達流体で満たされる。圧力伝達流体は、低温で凍るので、これらの圧力センサは、使用される流体の氷点より十分上の温度においてのみ用いられることができる。これらの圧力センサの使用は、従って、一般に−７０℃より上など、流体の選択に依存した最低温度より上の温度のみが発生する用途に限定される。
【０００４】
−７０℃より低い、極端な低温は、液化天然ガスを輸送するときと共に、天然ガスの液化のためのシステムなどの特定の用途において発生する。これらの場合、−１６５℃までの温度が発生しうる。
【０００５】
従って、基本的に、−７０℃未満の温度における圧力の測定のためには、ドライセンサとしばしば呼ばれる、圧力伝達流体を使用することなしに動作することが出来る圧力センサのみが考えられる。
【０００６】
ドライ圧力センサの例は、基体から離された円筒形のセラミック基体上に配置され、基体と同じ直径を有するセラミック測定ダイアフラムを有する、セラミック圧力センサである。セラミック圧力センサは、セラミック測定ダイアフラムが、媒体に直接曝されることが出来るという利点を提供する。この点において、セラミックは、特に、圧力測定の用途に対する有利な化学的及び機械的特性を有する。セラミック圧力センサは、使用位置で実装されなければならない。このため、これらは、プロセス接続が搭載され、測定ダイアフラムの外縁と基体とが、軸方向、即ち、測定ダイアフラムに垂直な面に平行にクランプされるセンサ筐体に通常挿入される。圧力センサ内の機械的変形を防止するために、特に、測定ダイアフラムの領域において、圧力センサは、中間エラストマーを挿入することによってセンサ筐体内にクランプされる。しかし、エラストマーは、記述した低温においては機能しない。従って、これらのセラミック圧力センサの使用は、また、−７０℃より高い温度に限定される。
【０００７】
ドライ圧力センサの他の例は、ＤＥ  １０  ２００６  ０３５  ２３０  Ａ１に記載されている。この圧力センサは、その中に搭載され、抵抗ブリッジを形成するように相互接続されたピエゾ抵抗シリコンセンサを有するサファイアキャリアを含む。サファイアキャリアは、測定ダイアフロムとして用いられるチタンプレートの内面上に搭載される。測定動作の間、測定されるべき圧力は、チタンプレートの外部に直接印加され、プレートの圧力による屈曲は、シリコンセンサを用いて、計測的に検出される。チタンプレートは、チタンで作られたダイアフラムキャリア内に、フラッシュマウントされ、次に、ステンレススチールで作られた、ブラケット内に挿入され、ステンレススチールで作られたプロセス接続内にフラッシュマウントされる。ダイアフラムキャリアは、ステンレススチールで作られたプロセス接続のものと共に、チタンで作られた測定ダイアフラムと、ステンレススチールで作られたブラケットとの異なる熱膨張係数によって生じうる圧力を吸収するために用いられる。この目的のために、ダイアフラムキャリアは、圧力センサ内部に面する内部面上に、周縁環状凹部を含む。ダイアフラムキャリアは、このように、急激な温度変化の場合でさえも、変形に対して、測定ダイアフラムを保護することが出来る。しかし、キャリアは、異なる熱膨張によって生じる力を吸収するための凹部によって、自体が十分に弾性がある限りにおいてのみ、そのようにすることが出来る。これらの力は全て、温度が低いほど大きい。同時に、温度が低いほど、チタンの弾性は低い。ダイアフラムキャリアは、このように、それが使用される温度が低くなるほど、これらの力を吸収することが出来なくなる。
【０００８】
ドライ圧力センサによって、低温における使用位置に圧力センサまたは測定ダイアフラムを可能な限り歪みなしで搭載することは、重要な問題を提起する。
【発明の概要】
【０００９】
本発明の課題は、特に、−７０℃より低い温度などの、低温において使用できる、圧力センサを搭載する圧力測定構成と共に、圧力センサを明示することである。
【００１０】
このために、本発明は、
−前領域と、これに隣接する基盤とを有する固体金属センサ体であって、
――前領域は、基盤よりも大きい断面積を有しており、
――前領域は、使用位置に圧力センサを実装するための固定デバイスによってクランプされることが出来る、外縁を有する、固体金属センサ体と、
−前領域に設けられ、基盤から外に面する前領域の前方に向かって開いている凹部と、
−測定動作中に、外部から測定されるべき圧力が印加され、圧力によって弾性的に変形することが出来、センサ体の前方に配置され、外部に向かって凹部を閉止する金属測定ダイアフラムであって、
――センサ体と同じ金属からなり、
――前領域の外縁から離間されている金属測定ダイアフラムと、
−絶縁素子によって、測定ダイアフラムとセンサ体から電気的に絶縁されている、少なくとも１つの測定素子を有する、測定ダイアフラムの圧力による変形を、計測的に検出するための電気機械的トランスデューサと、
を備える圧力センサを含む。
【００１１】
第１の開発によると、測定ダイアフラムの全方位を覆う溝が、測定ダイアフラムと外縁の間のセンサ体の前方に提供される。
【００１２】
第２の開発によると、前領域は、外縁の前方の金属カッティングリングシールの金属シーリングリップを備え、シーリングリップは、測定ダイアフラムを全方位で覆い、測定ダイアフラムから離間されており、外部に突出する。
【００１３】
第３の開発によると、測定ダイアフラムは、金属、特には、チタン、タンタル、チタン合金、または、タンタル合金などの、−７０℃未満の温度を含む温度範囲で、特に、圧力センサが用いられる、−１６５℃から−７０℃の温度範囲で、１０％以上のパーセント拡張を有する金属からなる。
【００１４】
本発明の一実施形態、または、第３の開発によると、絶縁素子は、特に、セラミックまたはサファイアなどの材料からなり、これらは、−７０℃未満の温度を含む温度範囲、特に、圧力センサが用いられることができる、−１６５℃から−７０℃の温度範囲で、センサ体と測定ダイアフラムの金属の熱膨張係数に適合された熱膨張係数を有する。
【００１５】
本発明の第１の変形例によると、
−絶縁素子は、凹部に挿入され、特に、活性ハードはんだ（ａｃｔｉｖｅ  ｈａｒｄ  ｓｏｌｄｅｒ）接合によって凹部に取り付けられ、その前面は、測定ダイアフラムに面し、測定ダイアフラムと平行して走り、それから離間されており、
−測定素子の一つは、絶縁素子の前面に搭載された測定電極であり、測定電極は、対向電極として機能する測定ダイアフラムと共に、測定ダイアフラムの圧力による屈曲に依存した容量を有するキャパシタを形成する。
【００１６】
第１の変形例の一実施形態によると、
−絶縁素子は、測定ダイアフラムに面する前面上に、測定ダイアフラム用のダイアフラムベッドを形成し、測定ダイアフラムの中心に同心円に配置された波からなる波プロファイルを有し、
−測定ダイアフラムは、絶縁素子の波プロファイルと同一形状を有し、特に、ダイアフラムベッドに測定ダイアフラムを押し付けることにより生成される波プロファイルを有する波ダイアフラムとして設計される。
【００１７】
本発明の第２の変形例によると、
−絶縁素子は、凹部の内部に面する測定ダイアフラムの内面上に配置され、測定ダイアフラムとラミネート接合されるディスクであり、
−測定素子は、測定ダイアフラムから外に面する絶縁素子の一面上の絶縁素子に挿入されるセンサ、特に、ピエゾ抵抗シリコンセンサである。
【００１８】
第２の変形例の好適な一実施形態によると、
−絶縁素子は、サファイアからなり、
−絶縁素子と測定ダイアフラムのラミネート接合は、ハードはんだ接合である。
【００１９】
本発明の第４の開発によると、
−測定素子の少なくとも１つに接続された少なくとも１つの接点は、測定ダイアフラムから外に面する絶縁素子の側面上に設けられ、
−接続ラインは、各接点に接続され、
−基盤と凹部の端を通る穴が、各接続ラインのセンサ体に設けられ、
−絶縁材料、特に、セラミックまたはサファイアから作られる小型ダクトは、各穴に挿入され、穴を繋ぎ、
−各接続ラインは、小型ダクトの一つを介して供給される。
【００２０】
第４の開発の一実施形態によると、接続ラインのそれぞれは、はんだ、または、ボンドにより関連する接点に接続される。
【００２１】
第５の開発によると、電気化学的トランスデューサは、少なくとも１つの接続ラインによって、測定ダイアフラムと離間して配置された、電子部品、特に、ヒータを搭載した電子部品に接続される。
【００２２】
更に、本発明は、本発明による圧力センサを有する圧力測定構成を備え、これは、
−接続素子、特に、接続パイプ、接続部品、または、接続フランジであって−
――測定ダイアフラムを曝す中央凹部を有するものと、
−圧力センサを接続素子に取り付ける固定デバイスであって、
――圧力センサの前領域の外縁上に排他的に配置され、特に、測定ダイアフラムに垂直な面に平行に作用する縁への力を排他的に加えるものと、
を有する。
【００２３】
更に、本発明は、第２の開発による圧力センサを有する、本発明による圧力測定構成の一実施形態を備え、これは、
−接続素子が、シーリングリップと対向する領域において、センサ体のシーリングリップと相補的な、金属シーリング輪郭を有し、
−金属シール、特に、シーリングリップとシーリング輪郭の金属より延性な金属、特に、金または銅で作られた、特に、ポリテトラフルオロエチレンの被覆で外部が被覆されたシールは、シーリングリップとシーリング輪郭との間に配置され、
−固定デバイスは、測定ダイアフラムから外に面する側から圧力センサ上にスライドされ、ねじ接続によって接続素子に接続されるスリーブを備える。
【００２４】
更に、本発明は、本発明による圧力測定構成の別の一実施形態を備え、これは、
−接続素子が、外縁と対向する前面上に、環状周縁溝を備え、
−特に、弾性のある金属、特に、ポリテトラフルオロエチレンの被覆で外面が被覆された金属から作られる、環状周縁シーリングばね、特に、ｃ形状の断面プロファイルを有するシーリングばねは、溝に挿入され、
−固定デバイスは、測定ダイアフラムから外に面する面から圧力センサ上にスライドされ、ねじ接続によって接続素子に接続されるスリーブを備える。
【００２５】
本発明による圧力センサは、測定ダイアフラムとセンサ体が同一の金属で作られ、圧力センサが、測定ダイアフラムから離間された固体センサ体の前領域の外縁の軸方向クランプにより、使用位置に実装されることが出来る、という利点を提供する。このように、圧力センサのクランプによる測定ダイアフラムの領域の変形の結果として、測定がこれらの温度によって阻害されることなく、低温、特に、−１６５℃から−７０℃の範囲の温度において、圧力センサを使用することが可能である。
【図面の簡単な説明】
【００２６】
以降、本発明とその利点が、実施形態の３つの例を示す図面を用いて、詳細に説明されるだろう。同一の要素は、図において、同一の参照番号によって示される。
【００２７】
【図１】容量型電気機械的トランスデューサを有する圧力センサを有する圧力測定構成を示す。
【図２】図１の圧力センサを有する他の圧力測定構成を示す。
【図３】ピエゾ抵抗型電気機械的トランスデューサを有する圧力センサを有する圧力測定構成を示す。
【発明を実施するための形態】
【００２８】
図１は、本発明による圧力センサを有する圧力測定構成の分解立体図を介した断面を示す。圧力センサは、前領域３と、これに隣接し、圧力センサの縦軸に平行に走る基盤５と、を有する固体金属センサ体１を備える。前領域３は、ディスクの基本形状を有しており、その中央を介して、圧力センサの縦軸が走る。
【００２９】
センサ体１の前領域３においては、基盤５から外に面する前領域３の前面に向かって開いており、センサ体１の前面と同一平面の凹部７が設けられる。
【００３０】
圧力センサの前面においては、圧力に応じて弾性的に変形されることができ、凹部７を完全に覆い、外部に向かってそれを遮断する、金属測定ダイアフラム９が配置される。ここで、外部で凹部７を囲む、測定ダイアフラム９の外縁は、例えば、電子ビーム溶接などの接合によって、センサ体１の前面に接続される。
【００３１】
測定ダイアフラム９が、−７０℃未満の低温、特に、−１６５℃から−７０℃の温度範囲においても、十分な程度に弾性的に変形可能であるために、この温度範囲において、十分高い弾性、十分高い降伏強度、及び、十分高いパーセント膨張を有する金属が用いられる。パーセント膨張εは、初期長さに対する、引っ張り応力の下の物体に発生する長さの変化の比を示し、従って、計測的に検出されるべき、測定ダイアフラム９の屈曲の決定的変数である。
【００３２】
列挙した金属の弾性係数と降伏強度は、温度が下がると増加し、この場合、問題ではないが、パーセント膨張εは、温度が下がると減少する。好ましくは、圧力センサが用いられる温度範囲において、１０％以上のパーセント膨張εを有する金属が用いられる。
【００３３】
この点において、タンタル及びタンタル合金と共に、オーステナイト系ステンレス鋼、チタン、チタン合金は、測定ダイアフラム９の材料として適している。好ましくは、測定ダイアフラム９は、チタンまたはチタン合金からなる。
【００３４】
好適な金属は、純度２のチタン（グレード２のチタン）である。グレード２のチタンは、−１６５℃以上の温度において、１８％以上のパーセント膨張εを有する。直径１５ｍｍで、０．４ｍｍの比較的厚い厚さを有するグレード２のチタンから作られる測定ダイアフラムは、弾性屈曲を経験し、測定ダイアフラムの中心は、−１６５℃で、１ＭＰａ（１０ｂａｒ）の圧力が加えられたとき、１０μｍより大きく屈曲される。数マイクロメータ、特に、２μｍより大きいオーダのダイアフラムの屈曲は、既に、計測的に検出できるので、このオーダの屈曲は、容易に計測的に検出されることが出来る。
【００３５】
異なる熱膨張係数による測定ダイアフラム９の変形を防止するために、固体センサ体１は、測定ダイアフラム９と同一の金属のみからなる。このように、圧力センサが、非常に広い温度範囲を通過するとしても、熱膨張による変形は、測定ダイアフラム９とセンサ体１との間には発生しない。
【００３６】
更に、同一の材料間の接合は、高品質で、異なる材料間の接合よりも、その温度範囲にわたって、より機械的に抵抗性がある。
【００３７】
測定動作中、測定されるべき圧力ｐは、凹部７から外に面する測定ダイアフラム９の外面に印加され、その圧力による変形は、電気機械的トランスデューサによって検出される。この結果、圧力センサは、低温、特に、−７０℃未満の温度においても、測定を邪魔する変形が、測定ダイアフラム９の領域で発生しないように、使用位置に実装される。
【００３８】
この目的のため、固体センサ体１の前領域３は、それに隣接する基盤５よりもかなり大きい断面積を有し、前領域３は、図において、二重矢印で示されるように、測定ダイアフラム９から離間された、外縁１１を備える。
【００３９】
これによって、圧力センサが、測定ダイアフラム９から離間された、前領域３の外縁１１を排他的にクランプすることにより、固定デバイスによって、使用位置において、圧力測定構成に実装されることが出来るという効果を有する。この目的のため、固定デバイスは、それが、好ましくは、排他的に外縁１１に作用し、測定ダイアフラム９に垂直な面に平行に、排他的に作用する力をこの上にかけるように、設計される。
【００４０】
固定デバイスによって圧力センサに掛けられる力は、このように、測定ダイアフラム９から離間された、前領域３の外縁１１に制限される。これは、変形に対し、測定ダイアフラム９の効果的な保護を提供する。このようにすることによって、測定ダイアフラム９と、前領域３のクランプされた外縁１１との間の空間距離は、既に、機械的離脱を引き起こしている。これは、前領域３がより厚く、縁１１が、測定ダイアフラム９からより離間されていると、より効果的である。
【００４１】
測定ダイアフラム９の、圧力センサの外縁１１の機械的クランプからの離脱は、前領域３の前面において、外部から、測定ダイアフラム９を全方位で囲む溝１３を提供することによって、更にまた改善されることが出来る。
【００４２】
このように、本発明による圧力センサは、−７０℃未満の温度で用いられることができ、しかし、測定は、圧力センサのクランプによる測定ダイアフラム９の変形の結果としては、これらの温度において邪魔されることがない。
【００４３】
固定デバイスにより、低温で、圧力センサの外縁１１の圧力を掛けたクランプを達成するために、金属カッティングリングシーリングの金属シーリングリップ１５が、センサ体１の前領域３の外縁１１の前面上に提供され、このシーリングリップは、好ましくは、圧力センサの縦軸に平行に、外に向かって突出する。シーリングリップ１５は、全方位で、測定ダイアフラム９を囲み、測定ダイアフラム９から離間される。
【００４４】
圧力測定構成は、固定デバイスによって圧力センサが搭載される、接続素子１７、特に、接続パイプ、接続部品、または、接続フランジを備える。接続素子１７は、測定ダイアフラム９を曝し、測定されるべき圧力ｐを、測定動作中、測定ダイアフラム９に印加する中央凹部１９を有する。更に、接続素子１７は、シーリングリップ１５に対向する前面において、センサ体１のシーリングリップ１５に相補的な、金属シーリング輪郭２１を有する。この目的のために、シーリングリップ１５と相補的シーリング輪郭２１は、カッティングリングシール用の真空技術において用いられるプロファイルに類似した、プロファイルを有することが出来る。センサ体１のシーリングリップ１５と、接続素子１３の相補的シーリング輪郭２１との間に、金属シール２３が挿入され、これは、シーリングリップ１５とシーリング輪郭２１の金属より延性の金属から作られる。この目的のために適したものは、特に、金または銅によって作られたシール２３である。極度の低温において、カッティングリングシールのシーリング効果を改善するために、シール２３は、好ましくは、ポリテトラフルオロエチレンの被覆が、外部に設けられる。
【００４５】
固定デバイスは、それが、接続素子１７に対し、センサ体１の前領域３の外縁１１を押圧するように設計される。これは、シーリングリップ１５とシーリング輪郭２１が、それらの間にクランプされる金属シール２３に切り込むという効果を有する。
【００４６】
センサ体１の外縁１１に排他的に作用する固定デバイスとして適しているものは、特には、測定ダイアフラム９から外に面する側から圧力センサ上にスライドされ、搭載状態においては、前領域３の外縁１１の、測定ダイアフラム９から外に面する後部面の外縁上に安置し、例えば、ここに、二重矢印で示される、ねじ接続によって、接続素子１７に接続されることが出来る、スリーブ２５である。スリーブ２５は、例えば、接続素子１７の外部ねじ山２７にねじ込まれるスリーブナットである。この変形例が、図１の左半分に示されている。ねじ込みプロセスによって掛けられる回転力に対してセンサ体１を保護するために、スリーブナットは、好ましくは、センサ体１上に直接安置し、その上に内部ねじ山を有するブッシングが配置される挿入部２９を有する。挿入部２９は、好ましくは、センサ体１と同一の金属のみからなる。好ましくは、ブッシング３１と、搭載状態において、センサ体１に隣接する接続素子１７の少なくとも一領域は、また、この金属のみからなる。この温度範囲にわたって発生し、異なる熱膨張係数によって引き起こされる変形は、これによって、排除される。
【００４７】
スリーブ２５は、そこを通って基盤５が走り、スリーブ２５が、搭載状態において、前領域３の外縁１１上に排他的に安置するほどその断面積が十分大きい、中央穴３３を有する。
【００４８】
あるいは、接続素子１７は、内部ねじ山３７を有し、測定ダイアフラム９から外に面する側からセンサ体１上にスライドし、外部ねじ山を有するスリーブ３９上にねじ込まれるスリーブナット３５が設けられることが出来る。この変形例は、図１の圧力測定構成の右半分に示されている。スリーブ３９は、挿入部２９と全く同様に、測定ダイアフラム９から外に面する側からセンサ体１上にスライドされ、また、それを通って基盤５が走り、スリーブ３９が、搭載状態において、前領域３の外縁１１上に排他的に安置するほどその断面積が十分大きい、中央穴３３をも有する。
【００４９】
あるいは、スリーブと接続素子は、また、その外縁を通るボルトねじによって、共にねじ込まれるフランジとしても設計されることが出来る。
【００５０】
図１の測定構成に示されるカッティングリングシールによる圧力を掛けた固定ではなく、低温での使用に適した他のシーリング原理も使用可能である。この一例が図２に示されている。そこに示される測定構成は、シーリングリップを有していないという点でのみ図１に示される圧力センサと異なる圧力センサを備える。図２に示される圧力測定構成は、また、測定ダイアフラム９を曝す中央凹部１９を備え、その上に、圧力センサが、固定デバイスによって搭載される接続素子１７’を備える。接続素子１７’は、前領域３の外縁１１に対向する前面において、弾性のある金属で作られる環状周縁シーリングリング４３が挿入される、環状周縁溝４１を有する。シーリングばね４３は、例えば、ｃ形状断面プロファイルを有し、脱押圧状態において、溝４１から突出する。図１のシール２３のように、シーリングばね４３は、また、好ましくは、その外部に、ポリテトラフルオロエチレンの被覆が提供される。
【００５１】
ここにおいて、固定デバイスは、また、測定ダイアフラム９に垂直な面に平行に、接続素子１７’に対し、センサ体１の前領域３の外縁１１を押圧するようにも設計される。接続素子１７’に面する外縁１１の平坦前面は、これにより、シーリングばね４３に対して押圧される。シーリングばね４３は、これにより、張力が発生し、シーリング効果を有する。出来る限り広い温度範囲で、最適なシーリング効果を有するために、シーリングばね４３は、好ましくは、接続素子１７’とセンサ体１の熱膨張係数と同一、または、少なくとも非常に近い熱膨張係数を有する金属のみからなる。好ましくは、接続素子１７’、センサ体１及び、シーリングばね４３の、溝４１を備える領域は、チタンまたはチタン合金からなる。
【００５２】
ここで、固定デバイスは、また、搭載状態において、前領域３の外縁１１上に排他的に安置し、ここに、二重矢印で示されるように、ねじ接続によって、接続素子１７’に接続されることが可能なスリーブ４５も備える。図１に示される例示的実施形態とは対照的に、スリーブ４５と接続素子１７’は、ここでは、フランジの形状に設計される。従って、ねじ接続は、ここでは、スリーブ４５と接続素子１７’が共にねじ込まれる、ボルトねじ（図２には不図示）によってなされる。この目的のために、接続素子１７’と共に、スリーブ４５は、外縁に配置され、搭載状態において、ボルトねじが通る連続穴４７、４９を有する。あるいは、接続素子１７’とスリーブ４５の接続は、また、図１に示されるねじ接続によってなされることも出来る。
【００５３】
測定動作中、測定ダイアフラム９は、接続素子１７または１７’によって、測定されるべき圧力ｐに曝される。この圧力ｐは、電気機械的トランスデューサによって計測的に検出され、電気信号に変換される、測定ダイアフラム９の圧力に依存する弾性変形を引き起こす。
【００５４】
図１及び図２に示される例示的実施形態においては、容量型電気機械的トランスデューサが、この目的のために設けられる。図３は、膨張測定素子が搭載されたトランスデューサが提供される他の例示的一実施形態を示す。
【００５５】
両方の場合、トランスデューサは、絶縁素子５１、５３と、金属測定ダイアフラム９、９’および純粋に金属的な接合によって、それに導電的に接続されるセンサ体１から、絶縁素子５１、５３によって絶縁される、少なくとも１つの電気的絶縁測定素子５５、５７と、を備える。絶縁素子５１または５３は、圧力センサが用いられることができる温度範囲において、センサ体１と測定ダイアフラム９、９’の熱膨張係数に適合された熱膨張係数を有する電気的絶縁材料のみからなる。このために、これらの温度で可能な限り金属の熱膨張係数と類似する熱膨張係数を有する材料が選択される。センサ体１と測定ダイアフラム９用の材料として、チタンまたはタンタル合金と共に、チタンまたはタンタルとの関連で、セラミックとサファイアは、この目的のために適している。
【００５６】
チタン及びタンタル合金と共に、チタン、タンタルは、−１６５℃から−７０℃の範囲の温度で、８×１０−６／℃のオーダの熱膨張係数を有する。サファイアは、この温度範囲で、６×１０−６／℃のオーダの熱膨張係数を有する。
【００５７】
セラミックとして、マイカ結晶及び、ホウケイ酸ガラスからなるガラスセラミックを用いるのが好適である。この点の例は、二酸化ケイ素、酸化マグネシウム、酸化アルミニウム、酸化カリウム、酸化ボロン、及び、フッ素を含む、ＭＡＣＯＲというブランド名の下に、ＥｕｒｏｐＴｅｃ社が提供しているガラスセラミックである。これらは、−２００℃から−２５℃の温度範囲で、７．４×１０−６／℃の範囲の熱膨張係数を有し、加えて、機械加工によって、低い製造ばらつきで作成することができ、高い表面品質を有し、穴が無いので如何なるガスも放散することがなく、金属で被覆することができ、ハードはんだ付けすることが出来る、という利点を提供する。
【００５８】
サファイアとセラミックは、機械的に安定で、−７０℃未満の温度でも、特に、−１６５℃から−７０℃の範囲の温度でも、良い電気的絶縁性を提供する。
【００５９】
サファイアまたはセラミックで作られた絶縁素子５１、５３に加えて、センサ体１と測定ダイアフラム９用に、チタンまたはタンタル合金と共に、チタン、タンタルを用いることにより、−１６５℃までの温度範囲で圧力センサを用いることが可能である。
【００６０】
サファイアまたはセラミックは、オーステナイト系ステンレス鋼によって作られるセンサ体１と測定ダイアフラム９と共に、絶縁素子５１または５３用の材料として用いられることが出来る。しかし、オーステナイト系ステンレス鋼は、１６×１０−６／℃のオーダの熱膨張係数を有し、ここに列挙した他の金属との適合性が顕著に悪化し、圧力センサが用いられることができる温度範囲の下限を制限する。タンタル及びタンタル合金は、チタン及びチタン合金に比較し、膨張的であるので、測定ダイアフラム９、９’、及び、センサ体１は、好ましくは、チタンまたはチタン合金からなり、サファイアまたはセラミックで作られた絶縁素子５１、５３と共に用いられる。
【００６１】
図１に示される容量型トランスデューサにおいては、絶縁素子５１は、凹部７に挿入され、測定ダイアフラム９から外に面する裏面において固定される物体である。この本体は、測定ダイアフラム９に面する前面を有し、測定ダイアフラム９に平行に走り、これから離間されている。この結果、裏面で固定される絶縁素子５１は、凹部７の高さより低い高さを有する。
【００６２】
固定は、好ましくは、基盤５と、絶縁素子３７に対向し、センサ体１によって形成される凹部７の底面領域とに面する絶縁素子３７の裏面の外縁によって生成される接合部５９によって発生する。特に、活性ハードはんだ接合は、特に、チタンなどの金属、及び、セラミック、またはサファイアを接合するために適している。この目的のため、三級活性ハードはんだ（ｔｅｒｎａｒｙ  ａｃｔｉｖｅ  ｈａｒｄ  ｓｏｌｄｅｒ）が、好適に用いられ、これは、Ｚｒ−Ｎｉ合金とチタンを備える。そのような活性ハードはんだは、例えば、ＥＰ０４９０８０７Ｂ１に記述されている。
【００６３】
絶縁素子５１は、好ましくは、基盤５に面する裏面上の閉止された外縁に沿った周縁凹部を備え、この凹部には、活性ハードはんだで作られるはんだリングが挿入される。はんだリングは、絶縁素子５１と共に、凹部７に挿入され、それから、凹部７の底面領域に直接接触し、そこにはんだ付けされる。
【００６４】
容量型トランスデューサの測定素子５５は、電極であり、測定ダイアフラム９に面する絶縁素子５１の前面上に配置される。これらの電極は、測定ダイアフラム９への距離、及び、絶縁素子５１によるセンサ体１からの距離により、測定ダイアフラム９から電気的に絶縁される。測定素子５５の一つは、測定電極であり、対向電極として機能する測定ダイアフラム９と共に、測定ダイアフラム９の圧力に応じた屈曲に依存した容量を有するキャパシタを形成する。基準電極のような、追加の電極（不図示）が、また、絶縁素子５１に設けられることが出来る。測定電極は、例えば、金属被覆として、絶縁素子５１の前面上に、例えば、スパッタリングにより、適用される電極である。好ましくは、電極は、金属のみからなり、その熱膨張係数は、絶縁素子５１の熱膨張係数と出来る限り近いものである。絶縁素子５１の材料は、センサ体１の金属の熱膨張係数に依存して選択されるので、電極は、好ましくは、センサ体１と同一の金属、好ましくは、チタンのみからなる。
【００６５】
測定素子５５の電気接続は、絶縁素子５１を通じて供給され、測定ダイアフラム９から外に面する絶縁素子５１の裏面上に配置される関連する接点６３に各測定素子５５を接続する、接触ピン６１によって発生する。接触ピン６１は、例えば、チタンまたはタンタルピンとすることが出来る。タンタルは、チタン及び、絶縁素子５１の熱膨張係数と非常に近い熱膨張係数を有する。
【００６６】
各接触６３は、電気接続ライン６５によって電子部品６７に接続され、これは、測定ダイアフラム９から離間して配置され、トランスデューサによって計測的に検出される測定ダイアフラム９、９’の圧力依存屈曲に基づいて、測定動作中、測定されるべき圧力ｐを判定し、適切な出力信号の形式でこれを提供する。この目的のため、接続ライン６５は、例えば、はんだ、またはボンドによって、接点６３に接続される。
【００６７】
図１に示される例示的実施形態においては、測定ダイアフラム９によって形成される対向電極の電子部品６７への電気的接続６９が、追加的に提供される。金属測定ダイアフラム９は、金属センサ体１に導電的に接続され、対向電極の接続６９は、例えば、測定ダイアフラム９から外に面する基盤５の前面に適用される接点７１を介してなされる。
【００６８】
可能な限り、使用位置における条件と、接続ライン６５の結果的に要求される長さとに基づいて、電子部品６７は、電子部品６７の動作に十分な温かさの場所における使用位置に配置されるような、測定ダイアフラム９、９’からの距離に配置されるべきである。電子部品は、典型的には、−４０℃より高い温度においてのみ使用されることが出来る。トランスデューサ上に直接配置されるオンサイト（ｏｎ−ｓｉｔｅ）電子部品なしで動作するトランスデューサの接続ライン６５の長さは、典型的には、１０ｃｍのオーダの長さに制限される。１０℃／ｃｍの接続ライン６５に沿った温度勾配が仮定されるなら、測定ダイアフラム９、９’は、１０ｃｍのライン長で、−１４０℃より高い温度に曝されることが出来る。より低い温度勾配、より短いライン長、または、測定ダイアフラム９、９’において優勢なより低い温度で圧力センサを用いることも出来るために、電子部品６７は、好ましくは、ヒータ７３が設けられる。
【００６９】
各接続ライン６５については、基盤５を通って凹部７に進む、各接続ライン６５が関連する接点６３まで走る穴７５が、センサ体１に設けられる。接続ライン６５を、センサ体１から電気的に絶縁するために、各穴７５は、電気的に絶縁する材料で作られる小型ダクト７７と接続される。小型ダクト７７は、好ましくは、センサ体１の金属の熱膨張係数に適合された熱膨張係数を有する材料からなる。好ましくは、ここで、同一材料は、絶縁素子５１または５３のために用いられる。
【００７０】
測定ダイアフラムは、好ましくは、例えば、１ＭＰａ（１０ｂａｒ）のオーダのより低い圧力を測定するための平坦測定ダイアフラムとして設計され、測定ダイアフラム９は、好ましくは、例えば、１０ＭＰａ（１００ｂａｒ）までのオーダの圧力を測定するためのより高い圧力測定範囲における測定のための波ダイアフラムとして設計される。この変形例は、図１に示されている。この目的のために、凹部７を覆い、好ましくは、円形ディスクの形状をしている測定ダイアフラム９の領域は、測定ダイアフラム９の中心に同心円状に配置された波の波プロファイルを有する。波ダイアフラムは、同一の材料厚さのディスク形状ダイアフラムより硬く、波ダイアフラムの圧力依存の屈曲が、ディスク形状の測定ダイアフラムより、作用する圧力ｐに対して、より線形な依存性を有する、という高圧力における利点を提供する。
【００７１】
この場合、波ダイアフラムに面する絶縁素子５１の前面は、好ましくは、波ダイアフラムのダイアフラムベッドとして設計され、このダイアフラムベッドは、余分な負荷がかかったときのために、測定ダイアフラム９を支持する。このため、測定ダイアフラム９に面する絶縁素子５１の前面は、その上に配置された測定ダイアフラム９と同一の波プロファイルを有する。
【００７２】
測定ダイアフラム９の波プロファイルは、好ましくは、測定ダイアフラム９の材料で作られた平坦金属ディスクが、センサ体１の前面に溶接され、絶縁素子５１の波プロファイル上に少なくとも一回押圧されるように生成される。この目的のため、圧力が、金属ディスクに印加され、押圧圧力まで連続的に増加され、絶縁素子５１の形状が、金属ディスクに押圧され、ある期間、この押圧圧力で維持される。押圧圧力が、測定ダイアフラム９に続けて印加されなくなるとすぐに、押圧された測定ダイアフラム９は、測定ダイアフラム自体の復元力のために、ダイアフラムベッドから、絶縁素子５１から離間した位置まで戻る。
【００７３】
図３に示される圧力測定構成は、電気機械的トランスデューサと測定ダイアフラム９’の形状の設計においてのみ、図１に示される例示的実施形態と異なっている。以前の例示的実施形態と異なり、トランスデューサの絶縁素子５３は、ここで、凹部７の内部に面する測定ダイアフラム９’の内面に直接適用される。
【００７４】
このプロセスにおいて、測定素子５７は、測定ダイアフラム９’から外に面する側で、絶縁素子５３内に挿入される。測定素子５７は、例えば、抵抗型測定ブリッジを形成するように相互接続される、例えば、長尺抵抗、特に、ピエゾ抵抗素子である。
【００７５】
この目的のため、シリコンオンサファイア技術から知られるトランスデューサチップが、サファイアキャリアとその中に囲まれるシリコンセンサと共に用いられることが出来る。サファイアは、シリコンの結晶構造と適合する結晶構造を有し、低温においても、囲まれたシリコンセンサの良好な絶縁を保証する。
【００７６】
ここで、サファイアキャリアは、測定素子５７を測定ダイアフラム９’から絶縁する、ディスク形状の絶縁素子５３を形成する。センサ体１からの測定素子５７の絶縁は、測定素子が、センサ体１の材料から離間した凹部７内に配置されることによって達成される。ここで、トランスデューサの電気接続は、また、測定ダイアフラム９’から外に面する絶縁素子５３の側上に配置される接点６３に接続される、接続ライン６５によってなされる。接続ライン６５は、ここで、また、穴７５を通って供給され、これは、絶縁材料で作られる小型ダクト７７と繋がり、センサ体１を通る。しかしながら、以前の例示的実施形態とは対照的に、小型ダクト７７は、好ましくは、ここでは、凹部７内に延伸する。
【００７７】
絶縁素子５３内に挿入される測定素子５７に対する、測定ダイアフラム９’の圧力依存の屈曲の最適な伝達を達成するために、ディスク形状絶縁素子５３は、好ましくは、測定ダイアフラム９’と、ラミネート接合される。このため、測定ダイアフラム９’は、好ましくは、平坦金属ディスクとして設計される。ラミネート接合は、例えば、ハードはんだによって達成される。
【００７８】
測定ダイアフラム９’に取り付けられる絶縁素子５３は、測定ダイアフラム９’を硬化させる。従って、図３に示される圧力センサは、好ましくは、より高い圧力ｐを測定するために用いられる。あるいは、硬化は、測定ダイアフラム９’用に、より高いパーセント膨張εを有する材料を選択することにより、補償されることが出来る。温度が下がると、パーセント膨張εは減少するので、これは、しかし、通常、圧力センサを使うことが出来る温度範囲の下限の増加を結果として生じることとなる。
【符号の説明】
【００７９】
１    センサ体
３    前領域
５    基盤
７    凹部
９、９’    測定ダイアフラム
１１    縁
１３    溝
１５    シーリングリップ
１７    接続素子
１９    凹部
２１    シーリング輪郭
２３    シール
２５    スリーブ
２７    外部ねじ山
２９    挿入部
３１    ブッシング
３３    穴
３５    スリーブナット
３７    内部ねじ山
３９    スリーブ
４１    溝
４３    シーリングばね
４５    スリーブ
４７    穴
４９    穴
５１    絶縁素子
５３    絶縁素子
５５    測定素子
５７    測定素子
５９    接合部
６１    接触ピン
６３    接点
６５    接続ライン
６７    電子部品
６９    接続
７１    接点
７３    ヒータ
７５    穴
７７    小型ダクト
【図１】
2016540986.tif 000003
【図２】
2016540986.tif 000004
【図３】
2016540986.tif 000005
【国際調査報告】
2016540986.tif 000006
2016540986.tif 000007
2016540986.tif 000008
2016540986.tif 000009